(57)【要約】【課題】サービスリンク後もサービスリンク前の番組に従った放送を受信可能な「デジタルオーディオ放送受信装置及びデジタルオーディオ放送受信方法」を提供すること。【解決手段】デジタルオーディオ放送受信装置は、表示手段と、音声出力手段と、指示に応じた放送局の放送波を受信するチューナーと、選局された放送局における放送番組のプログラム構成を記憶する記憶手段と、放送局の受信状態を検出する制御手段と、を有する。制御手段は、受信中の放送局の受信状態が所定レベル未満になったとき、受信中の番組と同一の番組を放送している異なる放送局を検出し、検出した放送局の放送波を受信して音声出力手段を介して出力するとともに、表示手段の画面にプログラム構成に基づいた受信中の番組に関連する情報を表示する。制御手段は、選局された放送局の次番組が放送される時間になったとき、次番組又は次番組に相当する番組を出力する。【選択図】図８
2012004641.tif 000002
【特許請求の範囲】
【請求項１】
表示手段と、
音声出力手段と、
指示に応じた放送局の放送波を受信するチューナーと、
選局された放送局における放送番組のプログラム構成を記憶する記憶手段と、
放送局の受信状態を検出する制御手段と、
を有し、
前記制御手段は、受信中の放送局の受信状態が所定レベル未満になったとき、受信中の番組と同一の番組を放送している異なる放送局を検出し、当該検出した放送局の放送波を受信して前記音声出力手段を介して出力するとともに、前記表示手段の画面に前記プログラム構成に基づいた受信中の番組に関連する情報を表示することを特徴とするデジタルオーディオ放送受信装置。
【請求項２】
前記制御手段は、前記プログラム構成における次番組が放送される時間になったとき、前記次番組又は次番組に相当する番組を前記音声出力手段を介して出力することを特徴とする請求項１に記載のデジタルオーディオ放送受信装置。
【請求項３】
前記制御手段は、前記選局された放送局の受信状態を検出し、当該受信状態が所定レベル以上であるとき、当該放送局に切り替えて放送波を受信することを特徴とする請求項２に記載のデジタルオーディオ放送受信装置。
【請求項４】
前記制御手段は、前記選局された放送局のプログラム構成における次番組と現在受信中の放送局のプログラム構成における次番組とが同一の番組であるとき、前記選局された放送局の受信状態と現在受信中の放送局の受信状態を検出して、受信状態の良い方の放送局の放送波を受信することを特徴とする請求項２に記載のデジタルオーディオ放送受信装置。
【請求項５】
前記制御手段は、前記選局された放送局のプログラム構成における第１の次番組と現在受信中の放送局のプログラム構成における第２の次番組とが異なり、前記選局された放送局の放送波の受信状態が所定のレベル未満であるとき、前記第１の次番組と同一の番組を放送している放送局を検出して、当該放送局に切り替えて放送波を受信することを特徴とする請求項２に記載のデジタルオーディオ放送受信装置。
【請求項６】
前記制御手段は、前記選局された放送局のプログラム構成における番組名と受信可能な放送局のうち前記番組名と同一の番組名の番組を同一の番組とすることを特徴とする請求項５に記載のデジタルオーディオ放送受信装置。
【請求項７】
前記制御手段は、前記選局された放送局のプログラム構成における番組のジャンルと受信可能な放送局のうち前記ジャンルと同一のジャンルの番組を同一の番組とすることを特徴とする請求項５に記載のデジタルオーディオ放送受信装置。
【請求項８】
表示手段と、音声出力手段と、指示に応じた放送局の放送波を受信するチューナーと、選局された放送局における放送番組のプログラム構成を記憶する記憶手段と、を備えたデジタルオーディオ放送受信装置において実施されるデジタルオーディオ放送受信方法であって、
受信中の放送局の受信状態を検出するステップと、
前記受信状態が所定レベル未満となったとき、受信中の番組と同一の番組を放送している異なる放送局を検出するステップと、
前記検出した放送局の放送波を受信して前記音声出力手段に出力するとともに、前記表示手段の画面に前記プログラム構成に基づいた受信中の番組に関連する情報を表示するステップと、
を有することを特徴とするデジタルオーディオ放送受信方法。
【請求項９】
さらに、前記プログラム構成における次番組が放送される時間になったか否かを判定するステップと、
当該時間になったとき、前記音声出力手段を介して、前記プログラム構成における次番組又は次番組に相当する番組を出力するステップと、
を有することを特徴とする請求項８に記載のデジタルオーディオ放送受信方法。
【請求項１０】
前記次番組又は次番組に相当する番組を出力するステップは、
前記選局された放送局の受信状態を検出するステップと、
当該受信状態が所定のレベル以上であるとき、当該放送局に切り替えて放送波を受信するステップと、
を含むことを特徴とする請求項９に記載のデジタルオーディオ放送受信方法。
【請求項１１】
前記次番組又は次番組に相当する番組を出力するステップは、
前記選局された放送局のプログラム構成における第１の次番組と、現在受信中の放送局のプログラム構成における第２の次番組とを比較するステップと、
前記選局された放送局の第１の受信状態を検出するステップと、
現在受信中の放送局の第２の受信状態を検出するステップと、
前記第１の次番組と第２の次番組が同一番組であるとき、前記第１の受信状態と第２の受信状態のうち受信状態が良い方の放送局の放送波を受信するステップと、
を含むことを特徴とする請求項９に記載のデジタルオーディオ放送受信方法。
【請求項１２】
前記次番組又は次番組に相当する番組を出力するステップは、
前記選局された放送局のプログラム構成における第１の次番組と、現在受信中の放送局のプログラム構成における第２の次番組とを比較するステップと、
前記選局された放送局の受信状態を検出するステップと、
前記第１の次番組と第２の次番組が異なり、前記受信状態が所定レベル未満であるとき、前記第１の次番組と同一の番組を放送している放送局を検出するステップと、
当該放送局に切り替えて放送波を受信するステップと、
を含むことを特徴とする請求項９に記載のデジタルオーディオ放送受信方法。
【請求項１３】
前記同一番組を放送している放送局を検出するステップは、
番組名を抽出するステップと、
受信可能な放送局を検出するステップと、
前記受信可能な放送局のうち前記番組名と同一の番組名の番組を放送している放送局を選択するステップと、
を含むことを特徴とする請求項１２に記載のデジタルオーディオ放送受信方法。
【請求項１４】
前記同一番組を放送している放送局を検出するステップは、
番組のジャンルを抽出するステップと、
受信可能な放送局を検出するステップと、
前記受信可能な放送局のうち前記ジャンルと同一のジャンルの番組を放送している放送局を選択するステップと、
を含むことを特徴とする請求項１２に記載のデジタルオーディオ放送受信方法。
【発明の詳細な説明】
【技術分野】
【０００１】
本発明は、デジタルオーディオ放送受信装置及びデジタルオーディオ放送受信方法に関し、特に、ＤＡＢ受信機においてサービスリンク後もサービスリンク前の番組構成に従った放送を受信可能なデジタルオーディオ放送受信装置及びデジタルオーディオ放送受信方法に関する。
【背景技術】
【０００２】
近年、放送はアナログ放送から、高画質・高音質な出力が可能であるとともに各種データの多重等が可能なデジタル放送に移行してきている。既に、欧州ではデジタルオーディオ放送ＤＡＢ（Digital Audio Broadcasting）が実用化されている。
【０００３】
デジタルオーディオ放送ＤＡＢは、所定の番組の音声信号データを周波数多重で挿入した複数のデータフィールドと、番組とデータフィールドの対応を示す番組配列データが挿入される情報フィールドを含む周波数多重放送信号を直交変調して放送局より送信し、周波数多重放送受信機で該周波数多重放送信号を受信し、ユーザにより指定された番組に応じたデータフィールドに挿入された周波数多重信号を復調してオーディオ信号に変換して出力するものである。
【０００４】
このようなＤＡＢ受信機において受信状態が悪化したときには、同一内容の番組を放送している別の放送局から受信することが行われている。これに関して特許文献１には、デジタル音声放送の受信状態が悪化した場合に、デジタル音声放送間のリンク機能を利用して番組を継続し、リンク機能を利用できないときには、デジタル音声放送とＦＭ放送との間のリンク機能を利用して番組を継続して出力する技術が記載されている。
【０００５】
また、特許文献２には、受信状態が悪化したとき、又は番組終了時に視聴中の番組のジャンルと同じジャンルの番組に切り替える技術が記載されている。
【先行技術文献】
【特許文献】
【０００６】
【特許文献１】特開２０００−２２４０６４号公報
【特許文献２】特開２０１０−０６８２８１号公報
【発明の概要】
【発明が解決しようとする課題】
【０００７】
上記したように、ＤＡＢ受信機がデジタル放送を受信中に受信が不可能になったとき、予め検索しておいた同一の番組を放送している放送局へサービスリンクするようにしている。
【０００８】
このようなサービスリンク機能によって、ユーザが選局した放送局の受信状態が悪化したときでも、同一の番組を放送している放送局に自動的に切り替わるため、ユーザにとって良好な状態で番組を視聴できるという利点がある。
【０００９】
しかし、サービスリンク先の番組の構成と、ユーザが選局した放送局の番組の構成が必ずしも一致しているとは限らない。番組構成が異なる場合は、視聴していた番組の終了後は、ユーザが想定していたものと異なる番組が放送されることになる。
【００１０】
そのため、ユーザは視聴したい番組を放送している放送局を改めて選局することになり、ユーザにとって不便である。
【００１１】
本発明は、上記従来の課題に鑑みてなされたものであり、サービスリンク後もサービスリンク前の番組に従った放送を受信可能なデジタルオーディオ放送受信装置及びデジタルオーディオ放送受信方法を提供することを目的とする。
【課題を解決するための手段】
【００１２】
上述した従来技術の課題を解決するため、本発明の一形態によれば、表示手段と、音声出力手段と、指示に応じた放送局の放送波を受信するチューナーと、選局された放送局における放送番組のプログラム構成を記憶する記憶手段と、放送局の受信状態を検出する制御手段と、を有し、前記制御手段は、受信中の放送局の受信状態が所定レベル未満になったとき、受信中の番組と同一の番組を放送している異なる放送局を検出し、当該検出した放送局の放送波を受信して前記音声出力手段を介して出力するとともに、前記表示手段の画面に前記プログラム構成に基づいた受信中の番組に関連する情報を表示することを特徴とするデジタルオーディオ放送受信装置が提供される。
【００１３】
この形態に係るデジタルオーディオ放送受信装置において、前記制御手段は、前記プログラム構成における次番組が放送される時間になったとき、前記次番組又は次番組に相当する番組を前記音声出力手段を介して出力するようにしてもよく、前記制御手段は、前記選局された放送局の受信状態を検出し、当該受信状態が所定レベル以上であるとき、当該放送局に切り替えて放送波を受信するようにしてもよく、前記制御手段は、前記選局された放送局のプログラム構成における次番組と現在受信中の放送局のプログラム構成における次番組とが同一の番組であるとき、前記選局された放送局の受信状態と現在受信中の放送局の受信状態を検出して、受信状態の良い方の放送局の放送波を受信するようにしてもよく、前記制御手段は、前記選局された放送局のプログラム構成における第１の次番組と現在受信中の放送局のプログラム構成における第２の次番組とが異なり、前記選局された放送局の放送波の受信状態が所定のレベル未満であるとき、前記第１の次番組と同一の番組を放送している放送局を検出して、当該放送局に切り替えて放送波を受信するようにしてもよい。
【００１４】
また、前記制御手段は、前記選局された放送局のプログラム構成における番組名と受信可能な放送局のうち前記番組名と同一の番組名の番組を同一の番組とするようにしてもよく、前記制御手段は、前記選局された放送局のプログラム構成における番組のジャンルと受信可能な放送局のうち前記ジャンルと同一のジャンルの番組を同一の番組とするようにしてもよい。
【００１５】
また、本発明の他の形態によれば、表示手段と、音声出力手段と、指示に応じた放送局の放送波を受信するチューナーと、選局された放送局における放送番組のプログラム構成を記憶する記憶手段と、を備えたデジタルオーディオ放送受信装置において実施されるデジタルオーディオ放送受信方法であって、受信中の放送局の受信状態を検出するステップと、前記受信状態が所定レベル未満となったとき、受信中の番組と同一の番組を放送している異なる放送局を検出するステップと、前記検出した放送局の放送波を受信して前記音声出力手段に出力するとともに、前記表示手段の画面に前記プログラム構成に基づいた受信中の番組に関連する情報を表示するステップと、を有することを特徴とするデジタルオーディオ放送受信方法が提供される。
【００１６】
この形態に係るデジタルオーディオ放送受信方法において、さらに、前記プログラム構成における次番組が放送される時間になったか否かを判定するステップと、当該時間になったとき、前記音声出力手段を介して、前記プログラム構成における次番組又は次番組に相当する番組を出力するステップと、を有するようにしてもよい。
【００１７】
また、前記次番組又は次番組に相当する番組を出力するステップは、前記選局された放送局の受信状態を検出するステップと、当該受信状態が所定のレベル以上であるとき、当該放送局に切り替えて放送波を受信するステップと、を含むようにしてもよく、前記選局された放送局のプログラム構成における第１の次番組と、現在受信中の放送局のプログラム構成における第２の次番組とを比較するステップと、前記選局された放送局の第１の受信状態を検出するステップと、現在受信中の放送局の第２の受信状態を検出するステップと、前記第１の次番組と第２の次番組が同一番組であるとき、前記第１の受信状態と第２の受信状態のうち受信状態が良い方の放送局の放送波を受信するステップと、を含むようにしてもよく、前記選局された放送局のプログラム構成における第１の次番組と、現在受信中の放送局のプログラム構成における第２の次番組とを比較するステップと、前記選局された放送局の受信状態を検出するステップと、前記第１の次番組と第２の次番組が異なり、前記受信状態が所定レベル未満であるとき、前記第１の次番組と同一の番組を放送している放送局を検出するステップと、当該放送局に切り替えて放送波を受信するステップと、を含むようにしてもよい。
【００１８】
また、前記同一番組を放送している放送局を検出するステップは、番組名を抽出するステップと、受信可能な放送局を検出するステップと、前記受信可能な放送局のうち前記番組名と同一の番組名の番組を放送している放送局を選択するステップと、を含むようにしてもよく、番組のジャンルを抽出するステップと、受信可能な放送局を検出するステップと、前記受信可能な放送局のうち前記ジャンルと同一のジャンルの番組を放送している放送局を選択するステップと、を含むようにしてもよい。
【発明の効果】
【００１９】
本発明のデジタルオーディオ放送受信装置及びデジタルオーディオ放送受信方法では、選局された放送局における放送番組のプログラム構成を記憶しておき、視聴している放送波の受信状態が悪化したとき、同一の番組又は同一のジャンルの番組を放送している別の放送局にサービスリンクするとともに、表示画面には元の放送局で視聴している番組情報を表示するようにしている。また、サービスリンク後に、選局された放送局における次番組の開始時にも受信状態を検出し、受信状態が悪化しているときにはその次番組と同一の番組を放送している放送局を検出してその放送局にサービスリンクする。これにより、ユーザが選局した放送局の番組構成に従った番組を視聴することが可能となる。
【図面の簡単な説明】
【００２０】
【図１】本発明の実施形態に係るデジタルオーディオ放送受信装置の構成を示すブロック図である。
【図２】ＤＡＢのサービス成分構造の一例を示す図である。
【図３】選局した放送局の番組を基準としたサービスリンク機能を説明する概念図である。
【図４】番組表の画面表示例を示す図である。
【図５】ＤＡＢにおける番組表データの伝送方法を説明する図である。
【図６】ＤＡＢの伝送フレームを示す図である。
【図７】ＥＰＧデータのテーブルである。
【図８】選局した放送局の番組を基準としたサービスリンク処理の一例を示すフローチャートである。
【図９】選局した放送局の番組を基準としてサービスリンク処理を適用した具体例を示す図である。
【発明を実施するための形態】
【００２１】
以下、本発明の実施の形態について、図面を参照して説明する。本実施形態では、デジタルオーディオ放送受信装置１００として、ＤＡＢ受信機を例にとって説明する。
【００２２】
図１は、本発明の実施形態に係るデジタルオーディオ放送受信装置１００の構成を示すブロック図である。この図１に示すように、デジタルオーディオ放送受信装置１００は、アンテナ１と、チューナー２と、Ａ／Ｄ変換器３と、ベースバンドデコーダ４と、制御部５と、操作部６と、表示部７と、記憶部８により構成されている。ベースバンドデコーダ４は、ＦＦＴ１１と、デマルチプレクサ１２と、チャネルデコーダ１３と、オーディオデコーダ１４と、ＰＡＤデコーダ１５と、パケットモードデコーダ１６とで構成されている。
【００２３】
アンテナ１は、直交周波数分割多重（ＯＦＤＭ：Orthogonal Frequency Division Multiplexing）方式のデジタル放送（ＤＡＢ放送）の電波を受信する。
【００２４】
チューナー２は、アンテナ１によって受信した、ＤＡＢ（Digital Audio Broadcasting）やＤＭＢ（Digital Multimedia Broadcasting）などのデジタル放送の電波から所望のチャネルに合致した受信周波数の放送波信号を選択的に抽出して、ベースバンドにダウンコンバートして出力する。Ａ／Ｄ変換器３は、ダウンコンバートされたアナログベースバンド信号をデジタル信号に変換する。
【００２５】
ＦＦＴ１１は、デジタル信号に変換されたベースバンド信号について高速フーリエ変換を行って受信シンボルを得る。デマルチプレクサ１２は、多重化されている信号を分離する。
【００２６】
チャネルデコーダ１３は、受信シンボルで構成されるＤＡＢ伝送フレームから任意の１つの音楽チャネル及び任意のデータチャネルを抽出する。また、チャネルデコーダ１３では、復調で得られた受信シンボルを構成するＤＡＢ伝送フレームを高速情報チャネル（ＦＩＣ）並びに複数の音楽チャネル及び複数のデータチャネルを有するメインサービスチャネル（ＭＳＣ）に分離する。また、ＭＳＣからユーザにより選択されたチャネルについてデインタリーブ、ビタビ復号、エネルギー拡散デスクランブルなどの処理を行う。また、ＦＩＣについてもビタビ復号、エネルギー拡散デスクランブルなどの処理を行う。
【００２７】
オーディオデコーダ１４は、抽出された音楽チャネルのオーディオ信号をデコードする。デコードされたオーディオ信号は不図示のＤ／Ａ変換器、増幅器、及びスピーカを介して音声出力される。
【００２８】
ＰＡＤデコーダ１５は、チャネルデコーダ１３で抽出された、サービスに付加されたプログラム関連データ（ＰＡＤ）やＭＯＴ（Multimedia Object Transfer）データをデコードして、データを再構成する。
【００２９】
パケットモードデコーダ１６は、チャネルデコーダ１３で抽出されたサービスを構成するパケットをデコードして、データを再構成する。
【００３０】
制御部５は、マイクロコンピュータで構成され、デジタルオーディオ放送受信装置１００の各部を制御し、操作部１２の操作によってチャネル設定の制御信号が入力されたときに、チューナー２が受信するチャネルを決定し、このチャネルに合致する受信周波数をチューナー２に設定する。
【００３１】
また、制御部５は、ＰＡＤデコーダ１５又はパケットモードデコーダ１６によりデコードされたＭＯＴデータをデコードして、ＭＯＴオブジェクトを再構成したり、ＦＩＣ中の高速情報グループ（ＦＩＧ）を解析して、同一の内容を放送している放送局があるか否か等の判断を行う。
【００３２】
操作部６は、デジタルオーディオ放送受信装置１００の操作に必要な操作ボタン等が設けられ、所望の放送局を選局する指示を行う。
【００３３】
記憶部７は、ハードディスクや半導体メモリで構成され、受信中の放送の番組情報（ＥＰＧ）が格納される。
【００３４】
表示部８は、例えば液晶表示装置（ＬＣＤ）で構成され、ＰＡＤデコーダ１５又はパケットモードデコーダ１６でデコードされて取得したデータを表示する。また、種々の指示を入力するメニュー画面を表示する。表示部８にタッチパネルを設け、ユーザからの指示を入力する場合には、操作部６として機能する。
【００３５】
このように構成されたデジタルオーディオ放送受信装置１００において、ユーザが選局した放送局の番組を受信中に受信状態が悪化して他のアンサンブルにサービスリンクした後も、ユーザが選局した放送局の番組表に従った番組を放送するようにする。
【００３６】
以下に、ユーザが選局した放送局の番組構成に基づいたサービスリンクを行う処理について、図２から図９を参照しながら説明する。
【００３７】
図２は、ＤＡＢのサービス成分構造の一例を示す図であり、ＤＡＢの規格書（ＥＮ３００４０１）から抜粋したものである。ユーザはサービス成分（Service）を選択することにより各サービス成分コンポーネント（Service component）へアクセスする。一つのアンサンブル（Ensemble）により複数個のサービス成分にアクセスすることができ、各サービス成分は１個以上のサービス成分コンポーネントをもつ。
【００３８】
各サービス成分の根本的なサービス成分コンポーネントはプライマリサービス成分コンポーネントと呼ばれる。プライマリサービス成分コンポーネントは、通常はオーディオとしてのプログラムサービス成分であるが、データサービス成分であってもよい。
【００３９】
アンサンブルラベル（アンサンブル名）がＤＡＢアンサンブル１（DAB ENSEMBLE ONE）であるアンサンブルは、サービス成分ラベルがアルファ１ラジオ（ALPHA 1 RADIO）、ベータラジオ（BETA RADIO）、アルファ２ラジオ（ALPHA 2 RADIO）等の複数のサービス成分を含んでいる。
【００４０】
アルファ１ラジオは、プライマリ（Primary）のサービス成分コンポーネントを１個、セカンダリ（Secondary）のサービス成分コンポーネントを１個有している。プライマリのサービス成分コンポーネントはオーディオ（Audio）であり、セカンダリのサービス成分コンポーネントは交通メッセージチャネル：ＴＭＣ（Traffic Message Channel）である。
【００４１】
オーディオ成分はＭＳＣ内のサブチャネル（SubCh）で伝送され、ＴＭＣはＦＩＣ内のＦＩＤＣ（Fast Information Data Channel）で伝送される。
【００４２】
ベータラジオはサービス成分コンポーネントを２個もっている。２つともオーディオであり、どちらもＭＳＣのサブチャネルで伝送される。
【００４３】
アルファ２ラジオは、アルファ１ラジオと同一のＴＭＣを持ち、スイッチの切り替えによってはオーディオもアルファ１ラジオと同じになることがある。
【００４４】
このようなＤＡＢにおいて、サービス成分を選択して放送信号を受信中に受信状態が悪化すると、サービスリンク機能によって同一の番組を放送している放送局に自動的に追従する。
【００４５】
図３は、サービスリンク機能を示した概念図である。図３（ａ）において、サービス１をユーザが選択したものとする。サービス１のプログラムＡを受信中、ｘ１の時点で受信状態が悪化したとき、プログラムＡを放送している別のサービス２を検出して、その放送局に切り替えて放送信号を受信する。これによりユーザが視聴していたプログラムＡを続けて視聴することができる。
【００４６】
その後、サービス２のプログラムＡが終了した時点で受信状態が良好であると、サービス２における番組構成での次のプログラムが放送される。ユーザは、サービス１を選択し、プログラムＡの次の番組がプログラムＢであるものと思っているところ、違うプログラムＤが放送されることになる。さらに、ｘ２の時点で受信状態が悪化すると、視聴していたサービス２のプログラムＤと同一の番組を放送している放送局にサービスリンクする。そのため、ユーザが選択したサービス１を放送している放送局の受信状態が良好になっていたとしても、プログラムＢを視聴することができない。
【００４７】
これに対して、本実施形態では、自動追従した後であっても図３（ｂ）に示すようにユーザが選局したサービスにおける次番組が視聴できるようにしている。
【００４８】
図３（ｂ）において、ユーザはサービス１を選局したものとする。サービス１のプログラムＡを視聴中、ｘ３の時点で受信状態が悪化し、サービスリンク機能によりサービス２に切り替わる。その後、サービス１の次番組（プログラムＢ）が開始するとき、サービス１の受信状態が悪化していれば、プログラムＢを放送しているサービスを検出する。図３（ｂ）では、サービス４でプログラムＢを放送しているので、サービス４に放送局を切り替えて放送信号を受信する。
【００４９】
さらに、その後、選択サービスにおけるプログラムＢの次番組（プログラムＣ）が開始するとき、サービス１の受信状態を判定し、受信状態が悪化していればプログラムＣを放送している放送局を検出して、その放送局に切り替える。
【００５０】
なお、この間、放送局を切り替えたとしても、ユーザが選択したサービス１の番組名や放送局名が表示されるようにしている。図４は、受信している放送局の番組を表示した例である。この例では、受信放送局名（ラジオＸ）と、番組リストが表示されている。例えば、プログラムＤを受信中に、受信状態が悪化して他のアンサンブルの放送局にサービスリンクした場合であっても、放送局名等の表示は変えず、ユーザが選択したアンサンブルの放送局が表示されている。
【００５１】
上記したような、ユーザが選局した放送局の番組の番組名や、その番組の開始時間などの情報はＤＡＢにおいてＥＰＧとしてデータ放送されている。データ放送のための放送プロトコルとしてＭＯＴ（Multimedia Object Transfer）プロトコルが用意されている。
【００５２】
ＭＯＴオブジェクトは、画像、動画、文字、ＨＴＭＬファイル等のマルチメディアに関わる内容を取り扱うデータであり、ＭＯＴプロトコルは、時間に依存しないデータをオブジェクト単位で放送する場合に使用されるプロトコルである。
【００５３】
このようなＭＯＴオブジェクトデータをＤＡＢ放送の多重放送信号に伝送する方式として、ＰＡＤ（番組関連情報）としてオーディオのサービスに含めて伝送する方式と、パケットで伝送する方式の２種類存在する。ＰＡＤは、伝送フレームのうち、音声情報を含むフレームの末尾に配置される。パケット伝送方式はデータ番組そのものを伝送するものであり、データ番組を一定のサイズのパケットと呼ばれるブロックに分割し、これら複数のブロックにまとめたものを数回に分けて伝送する。
【００５４】
図５は、ＥＮ３０１２３４から抜粋した図であり、ＭＯＴを用いたＤＡＢのデータ転送を説明する図である。
【００５５】
図５（ａ）は、送信機側のデータフローを示している。ＥＰＧを含むデータ放送は、ＭＯＴエンコーダでＭＯＴオブジェクトに生成される。その後、ＰＡＤまたはパケットモードにエンコードされる。パケットモードサブチャンネルは、パケットアドレスで区切られたＭＯＴオブジェクトで構成される多数のサービス成分を含んでいる。
【００５６】
ＰＡＤはＤＡＢオーディオエンコーダでエンコードされ、ストリームモードデータが形成される。パケットモードやストリームモードデータは、マルチプレクサで多重化される。
【００５７】
図５（ｂ）は、ＭＯＴエンコード・デコードの概要である。送信側でＰＡＤやパケットデータがエンコードされて多重化されて送信され、受信側で多重化されたＤＡＢアンサンブルを分離し、ＭＯＴデータをデコードする。ＤＡＢ受信機においては、多重放送信号の伝送フレーム内のＰＡＤ又はパケットのいずれかを選択し、ＰＡＤ又はパケットで伝送されるＭＯＴオブジェクトを受信する。ＭＯＴデータを受信した後、トランスポートＩＤに基づいて受信されたＭＯＴボディデータを再構成することによって元のデータが得られ、得られたデータを使用してユーザにサービスを提供することができる。
【００５８】
図６（ａ）は、ＤＡＢシステムにおける伝送フレーム（Transmission Frame）の構成を示す図である。送信されるＤＡＢ信号は、ＯＦＤＭで変調されたＯＦＤＭ信号として送信され、図６（ａ）に示す伝送フレームはＯＦＤＭ信号を復調した復調ＯＦＤＭ信号から得られる。
【００５９】
図６（ａ）に示すように、伝送フレームは、同期チャネル(Synchronization Channel)、高速情報チャネル(ＦＩＣ：Fast Information Channel)、主サービスチャネル(ＭＳＣ：Main Service Channel)で構成される。同期チャネルは、フレームを識別するものであり、伝送フレーム同期化（transmission frame synchronization）、自動周波数制御（automatic frequency control）、チャネル状態推定（channel state estimation）、送信機識別（transmitter identification）のような基本的復調器の機能のために用いられる。
【００６０】
ＦＩＣは、受信機が迅速に情報をアクセスできるようにするためのチャネルであり、番組を選局するのに必要な情報や番組に対する補助情報などの情報が含まれる。ＦＩＣは、複数個のブロックＦＩＢ（Fast Information Block）で構成され、ＦＩＢは、３０バイトのＦＩＢデータ領域と１６ビットのＣＲＣ（Cyclic Redundancy Check）で構成される。ＦＩＢデータ領域は、一つ以上のＦＩＧ（Fast Information Group）、１個のエンドマーカ（End marker）、及び１個のパッディング（ＦＩＢデータ領域をバイトに合わせるために残ったビットに０を入れること）で構成される。
【００６１】
ＦＩＧはＦＩＧタイプ（FIG type）及び長さ（Length）で構成されるＦＩＧヘッダとＦＩＧデータフィールドからなり、ＦＩＧタイプは、ＦＩＧデータフィールドに記録されるデータのタイプを表し、長さは、ＦＩＧデータフィールドの長さを表す。
【００６２】
ＭＳＣは、ビデオ、オーディオ、データサービスコンポーネントを搬送するために用いられるチャネルであり、伝送モードに応じた数のＣＩＦ（Common Interleaved Frame）で構成される。各ＣＩＦは、複数の音楽用のサブチャネル、複数の一般データ用のサブチャネルが多重化されており、１つのサブチャネルは一つの番組に相当する。
【００６３】
ＣＩＦには図６（ｂ）に示すようなサブチャンネルが複数多重化されており、１つのサブチャンネルは一つの番組に相当する。従って、ユーザは一つの番組を受信しようとするときには、ＣＩＦから特定のサブチャンネルを選択して選局する。また、ＸＭＬ(eXtensible Markup Language)で定義されたＥＰＧ（電子番組表）やＴＩＣ（交通情報）などのデータは、サブチャネル内にパケットとして構成される。
【００６４】
図６（ｃ）は、ＤＡＢオーディオフレームにおけるＰＡＤ信号の形式を示している。図６（ｃ）に示すように、ＰＡＤ信号は音声信号(audio data)の最後に、２バイト固定で伝送されるＦ−ＰＡＤ(fixed PAD)と呼ばれる信号と、サービス提供者によりデータ長を選択可能なＸ−ＰＡＤ(extended PAD)と呼ばれる信号があり、Ｆ−ＰＡＤとＸ−ＰＡＤの間には、ＳＣＦ−ＣＲＣ(Scale Factor CRC)と呼ばれる誤りチェック用の信号がある。
【００６５】
Ｆ−ＰＡＤの中には、Ｘ−ＰＡＤの種類を示すＸ−ＰＡＤＩｎｄと呼ばれるＸ−ＰＡＤ識別子と、Ｘ−ＰＡＤのサブフィールドの種類を示す内容識別フラグがある。ＥＰＧデータは、Ｘ−ＰＡＤフィールドに記載される。
【００６６】
図７は、ＥＰＧデータのエレメントとタグの関係を規定したテーブルの一部である。ＥＰＧデータは、ＸＭＬ形式で記載され、転送時にはバイナリ形式にエンコードされる。バイナリ形式では、タグとエレメントの長さとエレメントを定義するTag-length-valueの形式で記載され、エレメントに対応してタグが規定されている。このタグにより、必要とするエレメントを抽出することができる。
【００６７】
例えば、番組名はタグが０ｘ１０、０ｘ１１、０ｘ１２の要素に記載され、ジャンルはタグが０ｘ１４の要素に記載されている。また、次番組の開始時間や終了時間は、タグが０ｘ２１の要素に記載されている。
【００６８】
次に、図８のフローチャートを参照しながら、デジタルオーディオ放送受信装置１００の制御部５が行う、ユーザが選局した放送局で放送する番組を基準としたサービスリンク処理について説明する。
【００６９】
まずステップＳ１１において、ユーザによって選局された放送局における放送番組のプログラム構成を記憶部８に保存する。プログラム構成は、受信したＭＯＴオブジェクトをデコードしてＰＡＤまたはパケットデータからＥＰＧデータを抽出して取得する。
【００７０】
次のステップＳ１２において、視聴中の放送局の受信状態を検出する。受信状態の検出は、例えば、チャネルデコーダ１３からＢＥＲや受信強度を取得することによって行う。
【００７１】
次のステップＳ１３において、受信状態が悪化したと判定されたときは、ステップＳ１４に移行し、受信状態が悪化していないときはステップＳ１２に移行して受信状態の監視を継続する。受信状態の悪化の判定は、ＢＥＲが所定の値を超えたことや、受信強度が所定の値以下になったことにより判定する。
【００７２】
次のステップＳ１４において、受信中の番組と同一の番組を放送している放送局を検索する。この検索ではサービスリンク関連情報を取得し、リンク先（別アンサンブル）の周波数有無を確認し、リンク先がある場合はその受信状況を確認する。
【００７３】
サービスリンク関連情報は、ＦＩＣデータの中のＦＩＧ０／６（拡張６のためのタイプ０フィールド）に含まれており、サービスリンクされていればＦＩＧ０／６の中のＳＩｄにリンク先のサービス（放送局）が記載されている。サービスＳＩｄに対応するアンサンブルが存在するか否かの情報は、ＦＩＧ０／２４に含まれており、存在すればＦＩＧ０／２４の中のＥＩｄにそのアンサンブルが記載されている。
【００７４】
次に、リンク先のアンサンブルにおける受信状況を確認する。受信状況の確認は、リンク先の周波数にチューニングして、その放送局のＣ／Ｎ比（搬送波電力対雑音電力比）を検出し、受信状況を判断する。評価基準としては、Ｃ／Ｎ比の他に、受信強度やＢＥＲなどの受信レベルの情報を使用してもよい。
【００７５】
次のステップＳ１５において、ステップＳ１４又はステップＳ２４における条件を満たす放送局があるか否かを判定する。条件を満たす放送局があるときはステップＳ１６に移行し、条件を満たす放送局がないときはステップＳ２１に移行する。
【００７６】
次のステップＳ１６において、受信状態が良好で視聴中の番組と同一の番組を放送している放送局に切り替えて放送信号を受信する。その際、表示部７に表示する画面では放送局などの情報はユーザが選局した放送局に対する表示を継続する。
【００７７】
次のステップＳ１７において、選局された放送局において視聴していた番組の次番組が放送される時間になったか否かを判定する。次番組の開始時間の情報はＥＰＧから取得する。次番組の開始時間になるまで待機し、次番組の開始時間になったときはステップＳ１８に移行する。
【００７８】
次のステップＳ１８において、選局された放送局の受信状態を検出する。
【００７９】
次のステップＳ１９において、選局された放送局の受信状態が良好か否かを判定する。受信状態が良好なときはステップＳ２０に移行して、ユーザによって選局された放送局に切り替えて放送信号を受信する。受信状態が良好でないときは、ステップＳ２４に移行して選局された放送局のプログラム構成における次番組と同一の番組を放送している放送局を検索し、ステップＳ１５に移行する。
【００８０】
なお、ユーザが選局した放送局における受信状態が良好であって、現在受信中の放送局のプログラム構成における次番組と選局された放送局のプログラム構成における次番組が同一であるとき、受信状態が良い方の放送局を受信するようにしてもよい。
【００８１】
ステップＳ２４における次番組と同一の番組を放送している放送局の検索では、次番組の番組名を基に検索する。
【００８２】
受信可能なアンサンブルをアンサンブルアップ／ダウンとも言われるサーチ操作（検索操作）によって検索して受信し、各アンサンブルから放送局を抽出して受信したＭＯＴオブジェクトをデコードし、ＥＰＧデータから番組名を抽出して選択サービスにおける次番組の番組名と比較する。
【００８３】
なお、現在受信中の放送局のプログラム構成における次番組が選局された放送局のプログラム構成における次番組と同一であるときは、サーチ操作をする必要はない。すなわち、選局された放送局のプログラム構成における次番組と、現在受信中の放送局のプログラム構成における次番組が異なるときにサーチ操作によって検索される。
【００８４】
一方、ステップＳ１５で、ユーザが選局した放送局における番組と同一の番組を放送している放送局がないと判定されたときは、ステップＳ２１に移行し、受信中の番組、又は選局された放送局における次番組と同一のジャンルの番組を放送している放送局を検索する。
【００８５】
ステップＳ２１では、受信可能なアンサンブルをサーチ操作によって検索して受信し、ＥＰＧデータからジャンルを抽出して選局された放送局における番組のジャンルと比較して検索する。
【００８６】
次のステップＳ２２において、同一のジャンルの番組を放送している放送局があるか否かを判定する。該当する放送局があるときはステップＳ１６に移行し、該当する放送局がないときはステップＳ２３に移行して、現在視聴中の放送局の受信を継続する。
【００８７】
図９はＤＡＢ受信装置を搭載した車両の走行中に、本実施形態の処理を適用した具体例を示した図である。
【００８８】
図９（ａ）は、ローカル放送及び全国放送のラジオ放送を受信可能なエリアを車両が経路Ｒのように走行して、サービスリンク機能を伴う放送の受信が行われる状況の一例を示している。
【００８９】
図９（ｂ）は、各放送局の放送番組のタイムテーブルと、ＤＡＢ受信機によるサービスリンクの状況を示した図である。ローカル放送のＡ放送は、１時から５時までプログラムαを放送し、５時からはプログラムβを放送する。全国放送のＢ放送は１時から５時までプログラムαを放送し、５時からはプログラムγを放送する。また、ローカル放送のＣ放送は１時から５時までプログラムσを放送し、５時からはプログラムβを放送する。
【００９０】
ユーザはエリアＡにおいてＡ放送を選局したものとする。その後、地点ｘ１１付近（時間ｔ１１）で受信状況が悪化したため、サービスリンク機能によってプログラムαを放送している別の放送局（Ｂ放送）が検出され、Ｂ放送に切り替えられる。
【００９１】
ユーザが選局した放送局における次番組（プログラムβ）の開始時間になったとき、車両はＢ放送を良好に受信中であるが、Ａ放送を受信可能か否かの判定をする。Ａ放送の受信状態が良好ではなく、また、Ｂ放送の次番組がプログラムβではないため、Ａ放送の次番組であるプログラムβを放送している別の放送局を検索する。Ｃ放送でプログラムβが放送されることを検出し、Ｃ放送に切り替える。
【００９２】
その後、地点ｘ１３付近（時間ｔ１３）で受信状況が悪化したため、サービスリンク機能によってプログラムβを放送している放送局を検出する。この場合、ユーザが選局したＡ放送の受信状態が良好になったことにより、Ａ放送に放送局を切り替える。
【００９３】
このように、サービスリンク後もユーザが選局した放送局の番組表に基づいて受信可能な放送局を検出するため、ユーザの想定していない番組が放送されることがない。
【００９４】
以上説明したように、本実施形態のデジタルオーディオ放送受信装置及びデジタルオーディオ放送受信方法では、本発明のデジタルオーディオ放送受信装置及びデジタルオーディオ放送受信方法では、選局された放送局における放送番組のプログラム構成を記憶しておき、視聴している放送波の受信状態が悪化したとき、同一の番組又は同一のジャンルの番組を放送している別の放送局にサービスリンクするとともに、表示画面には元の放送局で視聴している番組情報を表示するようにしている。また、サービスリンク後に、選局された放送局における次番組の開始時にも受信状態を検出し、受信状態が悪化しているときにはその次番組と同一の番組を放送している放送局を検出してその放送局にサービスリンクする。これにより、ユーザが選局した放送局の番組構成に従った番組を視聴することが可能となる。
【００９５】
なお、上記説明では、チューナーが１つの場合の受信装置を対象としたが、同等の機能を有した２つのチューナーで構成される受信装置にも適用可能である。２つのチューナーを有する場合には、次番組が放送される前の時間に音声出力をしていないチューナーによって、選局された放送局の受信状態を検出したり、受信可能な放送局を検索できるため、番組の切り替えをスムーズに行うことが可能となる。
【００９６】
また、サービスリンク先で番組が終了した時点でユーザが選局した放送局の受信状態を検出し、受信状態が良好であればその放送局に切り替え、良好でなければ同一のプログラムを放送している放送局を検索するようにしてもよい。また、そのような放送局が存在しなければ、サービスリンク先で続けて放送を受信するようにしてもよい。
【００９７】
また、視聴している番組と同一の番組ではなく、ジャンルが同一の番組にサービスリンクしたときには、選局された放送局の番組名だけでなく、その番組名とともに、サービスリンク先の番組名を表示するようにしてもよい。
【符号の説明】
【００９８】
１…アンテナ、
２…チューナー、
３…Ａ／Ｄ変換器、
４…ベースバンドデコーダ、
５…制御部、
６…操作部、
７…表示部、
８…記憶部、
１１…ＦＦＴ、
１２…デマルチプレクサ、
１３…チャネルデコーダ、
１４…オーディオデコーダ、
１５…ＰＡＤデコーダ、
１６…パケットモードデコーダ、
１００…デジタルオーディオ放送受信装置。
【図１】
2012004641.tif 000003
【図２】
2012004641.tif 000004
【図３】
2012004641.tif 000005
【図４】
2012004641.tif 000006
【図５】
2012004641.tif 000007
【図６】
2012004641.tif 000008
【図７】
2012004641.tif 000009
【図８】
2012004641.tif 000010
【図９】
2012004641.tif 000011